(57)【要約】歯科修復材の適用のために、歯の硬質構造物を調製するための方法およびデバイスであって、この方法によれば、障害を罹患する所定のゾーンにおいて、機械的処置の工程の後に、組織の層を歯の硬質構造物から除去するために、そしてこのような処置によって発生する細片の除去の後に、支持ハンドピースにおいてワイヤによって制御電力回路に接続された適用ヘッドを使用して、接着物質の層が、このゾーンに塗布される。この制御電力回路は、電気信号を発生させ得、この電気信号は、所定のゾーンを電位差に供し、この電位差は、この接着物質を、通電に起因する動電学的力に供し、この動電学的力は、ぞうげ細管内に均一かつ深い様式で、接着物質を移動させ得、その結果、この接着物質が、歯のエナメル質の不規則な表面を占有する。
2004536684.tif 000002
【特許請求の範囲】
【請求項１】
歯科修復材の適用のために、歯の硬質構造物を調製するための方法であって、以下の工程：
歯（３）の硬質構造物（２）の少なくとも罹患したゾーン（２５）を処置する工程、
障害に罹患した組織の層を除去する工程、
処置された該ゾーン（２５）に接着物質の層を適用する工程、および
少なくとも該接着物質を、電場の作用に供する工程、
を包含する、方法。
【請求項２】
前記電場を発生させる工程が、処置され、そして前記接着物質によって覆われる前記ゾーン（２５）と、患者の身体の所定の地点（３０）との間での電位差の印加を包含し、これによって、少なくとも該処置されたゾーン（２５）において、通電に起因する動電学的力を発生させ、該動電学的力は、該接着物質を、均一な深い様式で、ぞうげ細管の内側に移動させ得、その結果、該接着物質が、前記歯（３）のエナメル質の不規則な表面を覆う、請求項１に記載の方法。
【請求項３】
前記接着物質の層を適用する工程、および該接着物質を電場の作用に供する工程が、同時に起こり、そして該接着物質の層を該電場に供している間に、該接着物質の層が適用される、請求項１に記載の方法。
【請求項４】
前記罹患したゾーン（２５）の処置に起因する細片の層を除去して、ぞうげ細管を再度開く工程をさらに包含する、請求項１〜３のいずれか１項に記載の方法。
【請求項５】
ぞうげ質の表面層を鉱物質除去する工程、鉱物部分を除去する工程、および有機マトリックスを残す工程をさらに包含する、請求項４に記載の方法。
【請求項６】
少なくとも前記接着物質の層によって覆われた前記ゾーン（２５）に、前記修復材を適用する工程をさらに包含する、請求項１〜５のいずれか１項に記載の方法。
【請求項７】
前記電場が、２００ボルトに達し得る値の電圧によって生じる、請求項１〜６のいずれか１項に記載の方法。
【請求項８】
前記電場が、４０Ａに達し得る値の電流によって生じる、請求項１〜６のいずれか１項に記載の方法。
【請求項９】
前記２つの電気的量である電圧および電流が、直流である、請求項７または８に記載の方法。
【請求項１０】
前記２つの電気的量である電圧および電流が、交流であり、そして１ＧＨｚに達し得る操作周波数を有する、請求項７または８に記載の方法。
【請求項１１】
前記接着物質を前記電場の作用に供する工程が、制御電力回路（１４）に接続されたハンドピース（４）を使用して実施され、該制御電力回路はまた、電極（２０）に接続されており、該電極は、患者の身体上の任意の所定の地点（３０）に配置されるよう設計されている、請求項１〜１０のいずれか１項に記載の方法。
【請求項１２】
前記接着物質の層を適用する工程が、適用ヘッド（１１）を備える前記ハンドピース（４）を使用して実施される、請求項１１に記載の方法。
【請求項１３】
前記適用ヘッドが、前記接着物質を収容および分配するための手段（２９、２４、３２、３３）を備える、請求項１２に記載の方法。
【請求項１４】
前記収容および分配する手段が、金属挿入物（２１）を備え、該金属挿入物の一端が、少なくとも前記処置されたゾーン（２５）において前記接着物質を移動させるための手段（２９、２４）を備える、請求項１３に記載の方法。
【請求項１５】
前記接着物質を移動させるための手段（２９）が、スポンジ様要素（２４）を備え、該スポンジ様要素は、該接着物質を吸収するように、そして接着物質の層を少なくとも前記処置されたゾーンに適用するために、該処置されたゾーン（２５）の上を通過するように設計されている、請求項１４に記載の方法。
【請求項１６】
前記電極が、口内電極（２０）であり、そして前記口（２８）の、前記接着物質が適用されなければならない歯（３）の反対の側に配置されるよう設計されている、請求項１１に記載の方法。
【請求項１７】
前記適用ヘッド（１１）が単回使用型のものである、請求項１１〜１６のいずれか１項に記載の方法。
【請求項１８】
歯科修復材の適用のために、歯の硬質構造物を調製するためのデバイスであって、該デバイスは、制御電力回路（１４）に接続された、少なくとも１つのハンドピース（４）を備え、該制御電力回路は、疾患に罹患する組織の層を除去するために予め処置された歯の硬質構造物の、少なくとも罹患したゾーン（２５）に適用された少なくとも１層の接着物質に、電場を印加して、少なくとも該接着物質によって覆われたゾーンに該修復材を適用するためのものである、デバイス。
【請求項１９】
電極（２０）をさらに備え、該電極は、前記制御電力回路に接続されており、そして患者の身体における任意の所定の地点に配置されるよう設計されており、そして前記ハンドピース（４）とともに作動して、処置され、そして前記接着物質の層で覆われた前記ゾーン（２５）と、該電極の適用の所定の地点との間に、電位差を印加し、これによって、少なくとも該処置されたゾーンにおいて、通電に起因する動電学的力を発生させ、該動電学的力は、該接着物質を、均一な深い様式で、ぞうげ微小管内で移動させ得、その結果、該接着物質が、前記歯のエナメル質の不規則な表面を覆う、請求項１８に記載のデバイス。
【請求項２０】
前記ハンドピース（４）が、前記接着物質の層のための適用ヘッド（１１）を備え、該適用ヘッドは、前記処置されたゾーン（２５）への該接着物質の適用の間に、該接着物質を電場の作用に供し得る、請求項１８に記載のデバイス。
【請求項２１】
前記適用ヘッドが、前記接着物質を収容および分配するための手段（２９、２４、３２、３３）を備える、請求項２０に記載のデバイス。
【請求項２２】
前記収容および分配する手段が、金属挿入物を備え、該挿入物（２１）の一端が、少なくとも前記処置されたゾーンにおいて前記接着物質を移動させるための手段（２９）を備える、請求項２１に記載のデバイス。
【請求項２３】
前記接着物質を移動させるための手段が、スポンジ様要素（２４）を備え、該スポンジ様要素は、該接着物質を吸収するように、そして前記処置されたゾーンの上を通過して、接着物質の層を少なくとも該処置されたゾーンに適用するよう設計されている、請求項２２に記載のデバイス。
【請求項２４】
前記電極が、口内電極であり、そして前記口の、前記歯科修復材が適用されなければならない歯とは反対の側に配置されるよう設計されている、請求項１９に記載のデバイス。
【請求項２５】
前記適用ヘッドが単回使用型のものである、請求項１８〜２３のいずれか１項に記載のデバイス。
【請求項２６】
前記接着物質が、イオン化可能物質の粒子の水に基づく溶液と混合される、請求項１８〜２５のいずれか１項に記載のデバイス。
【請求項２７】
前記粒子が、コロイド状態の貴金属である、請求項２６に記載のデバイス。
【請求項２８】
前記貴金属がコロイド金である、請求項２７に記載のデバイス。
【発明の詳細な説明】
【技術分野】
【０００１】
（技術分野）
本発明は、歯科修復材の適用のために、歯の硬質構造物を調製するための方法に関する。
【背景技術】
【０００２】
歯の硬質構造物（主に、エナメル質およびぞうげ質）への歯科修復材の接着は、歯の保存技術のために最高に重要である。
【０００３】
例えば、歯の再構築のための複合樹脂の使用は、今日の人々の非常に高い美的要求に起因して、有意に増加している。しかし、このような樹脂は、それらの重合に起因する所望されない二次的特徴を有し、これは、このような樹脂を歯から外す、有意な収縮である。この理由により、または自己保持しない調製物における明らかな保持要件に起因して、接着物質が使用されなければならず、この接着物質は、歯の硬質組織と複合樹脂との間の結合を可能にする。従って、この接着剤は、再構築の成功のための本質的な機能を実施し、複合樹脂により生じる修復について周縁のシールを保証するべきである。
【０００４】
ぞうげ質接着系（ＤＢＳ）は公知であり、そして世界中で入手可能であることが、注目されるべきである。これらは、修復材を歯の構造物に保持し、そしてシールすることを可能にする、結合系である。う食物質の機械的除去の後に得られる歯の空洞は、複合樹脂または他の修復材で充填および修復される必要があり、これらは通常、歯の構造物に直接結合しない。世界の市場において現在入手可能なＤＢＳは、主に、酸性調整剤（一般に、３０〜４０％のリン酸）ならびに重合性の疎水性反応性モノマーおよび親水性反応性モノマーの溶液から構成される。この酸性溶液は、歯の表面層を鉱物質除去して、機械的除去から残った細片（いわゆるスミア層）を除去し、そして鉱物除去された基体上に接着剤を適用することを可能にする。これにより、鉱物除去された歯の構造物および接着剤から構成される、ハイブリッド層が作製される。接着分子は、２つの異なる官能基からなる：一方は、表面に対する親和性を有し（すなわち、ぞうげ質の表面の自由エネルギーを増加させるもの）、そして他方の基は、接着剤の上に配置された修復複合樹脂に対する親和性を有する。
【０００５】
市販のＤＢＳの適用の間に、電気が使用される。なぜなら、電場は、表面のぬれ性に好ましく影響を与えること、および鉱物除去された歯の表面の不規則性へのＤＢＳの貫入を補助し、その結果、接着剤が、より良好に、規則的に基体に適合し、そして結合することが公知である。このことは、ハイブリッド層（鉱物質除去された歯の構造物と混合された接着剤）の質を増加させ、そして接着剤の不十分な貫入によって引き起こされる間隙および孔隙の形成を防止する。
【０００６】
さらに、歯の構造物に対するＤＢＳの適合を改善することに加えて、電気の使用は、ぞうげ細管内への接着剤の貫入の深さを増加させることが、強調されるべきである。ぞうげ質組織は密集した構造物を有さず、細管と呼ばれる放射状のチャネルによって、浸透されることが注目されるべきである。電気は、細管内への接着剤の流れを増加させ、従って、接着剤と歯の構造物との間の微細な機械的噛み合いを増強する。
【０００７】
接着物質と歯科用セメントとの差異を特定することもまた、重要である。歯科用セメントは、プロテーゼデバイス（例えば、歯冠、ブリッジ、前装、ポスト）を、プロテーゼに対する支持を提供するための橋脚歯に変えられた歯に固定するために使用される。歯科セメントは、プロテーゼを適所に保持するため、およびプロテーゼを残りの歯の構造物に固定するために不可欠である。接着系が使用されて、任意の充填修復材を、う食が除去された場合に形成される歯の空洞の内壁に結合する。歯科セメントおよび接着剤は、異なる化学物質から構成されることが、追加されるべきである。セメントは、通常、オキシリン酸亜鉛（ｚｉｎｃ  ｏｘｙｐｈｏｓｐｈａｔｅ）であり、一方で接着剤（ＤＢＳ）は、歯の表面と修復材との両方との親和性を有する、反応性モノマーである。
【０００８】
基体の維持能力を増大させるために、多年にわたって、種々の酸性溶液（またはゲル）でのぞうげ質およびエナメル質の処置が推奨されてきた。このようなプロセスは、酸食と称され、そしてこの処理が適用される組織に依存して、種々の異なる機能を有する。エナメル質において、酸食は、表面を、上記接着剤をより受容するようにし、鉱物除去された表面層を溶解し、そして粗い不均一な表面を露出させる。この表面は、いわゆる「エナメル小柱」（すなわち、接着樹脂が小さい溝に貫入して互いの噛み合せ（これは、保持およびシーリングを保証する）を形成することを保証する、様々な配向を有する結晶構造）を変化させることによって、特徴付けられる。実際に、接着剤の流体樹脂は、エナメル質の微細孔を充填し、シールを可能にする微細な機械的保持を保証する。さらに、酸食は、エナメル質のぬれ性を増加させ、そして接着剤の、完全な一体化のために最適な接触角を可能にする。
【０００９】
ぞうげ質接着は、多数の問題を提示する。なぜなら、エナメル質とは異なる構造を有するからである。ぞうげ質は、エナメル質（このうちの９７％が無機物質である）のように無機物（ヒドロキシアパタイト）のみでなく、有機物質（すなわち、アクリル疎水性樹脂に容易には結合しない、コラーゲン線維原）からもまたなる。さらに、ぞうげ質は、高い水含有量を有し、これは、粘着プロセスをさらにより複雑にする要因である。
【００１０】
特に、ぞうげ質は、歯の内側（歯髄）と周辺ぞうげ質とを結合する、複数の細管によって特徴付けられる組織である。これらの細管の内側には、いわゆる「ぞうげ芽細胞」（すなわち、血液循環に由来する流体によって水和された、歯髄細胞の細胞伸長物（ぞうげ質細胞））が存在する。各細管は、過剰に鉱化されたぞうげ質のフードによって囲まれている（管周ぞうげ質と称される）。１つの細管と別の細管との間のぞうげ質は、細管内と称され、非常に繊維質であり、そしてさほど鉱化されていない。細管は、歯髄から開始して半径方向に配置されており、そして次第に減少する直径を有し、従って、細管の密度は、これらが位置する歯のゾーンによって異なり、従って、このゾーンに従って接着基体が変化する。
【００１１】
障害に罹患した組織の層を除去することによって、ぞうげ質が所定の罹患ゾーンで処置される場合、例えば、このぞうげ質は、手動の器具または回転式の器具で処置されて、崩壊した突起を除去するか、または空洞を調製し、「スミア層」と称される細片の層が作製され、これが、ぞうげ質細管の開口部を閉鎖し、そして細管内ぞうげ質を覆い、その浸透性を減少させる。
【００１２】
従って、処置の前にぞうげ質にエッチング用の酸を適用することによって、細片の層が除去され、ぞうげ質細管が再度開き、そしてぞうげ質の頂部層を鉱物質除去し、無機物部分を除去し、そして有機マトリックスを残す。
【００１３】
ぞうげ質の表面を鉱物質除去するプロセスは、細管内レベルと周管レベルとの両方で起こるが、鋭利さの程度は、２つの構造物の所定の異なるレベルの鉱化によって、変動する。特に、エッチング用の酸が通された表面において、細管は、漏斗型に広がり、そして細管内組織の最初の４ミクロンまたは５ミクロンの厚さにわたって、完全に鉱物質除去され、コラーゲン線維原のみを残す。
【００１４】
これらのコラーゲン線維原は、そのいわゆる湿潤状態にある場合に、多孔質であり、一方でこれらが乾燥状態にある場合には、崩壊し、そして緻密な組織になり、多孔質組織とは対照的に、ここには、接着物質が粘着することが極度に困難である。
【００１５】
この点において、ぞうげ質への接着の主要な問題は、鉱物質除去された層に完全に貫入すること、および有効なシールを保証するために、細管内に数ミクロン入ることに成功することである。
【００１６】
有機マトリックスの一部が接着剤の流体樹脂によって到達されず、露出されたままである場合には、これは唾液の酵素によって急速に分解され、修復作業の側面に周囲の間隙を形成する。
【００１７】
（背景技術）
ぞうげ質を正しく浸潤する種々の方法が提案されており、これらは主として、コラーゲン線維原（酸食によって露出される有機マトリックス）が崩壊することを防止すること、および接着剤が最も深いゾーンに通過することを可能にすることを目的とする。
【００１８】
主として酸食溶液（主として、３０〜４０％のリン酸）ならびに親水性モノマーおよび疎水性モノマーの重合性溶液から構成される、接着物質が使用されている。酸がエナメル質およびぞうげ質の表面から洗浄除去される場合、モノマー溶液が（複数の層にさえ）歯のエッチングされた表面に適用される。最近の接着剤は、アセトンまたはエタノールを溶媒として使用する。溶媒の機能は、鉱物質除去された歯のマトリックスから水を除去し、そして水にとって代ることである。
【００１９】
接着分子は、２つの官能基を有する：一方は、歯の表面（親水性）に対して大きな親和性を有し、そして他方は、接着剤の層を覆って配置される樹脂材料（疎水性）に対して大きな親和性を有する。接着剤の主要な部分を構成する親水性モノマーは、酸食によって露出されたコラーゲン線維原を貫入することによって、微細な機械的保持を作製し得、有機マトリックス、無機性残留物、および樹脂の混合構造物（ハイブリッド層と称される）を形成する。
【００２０】
ハイブリッド層の形成は、依然として、良好な程度のシーリングを保証するために本質的であるようである。さらに、酸食プロセスによって開き、そして漏斗型に広がった細管に入る接着剤は、樹脂伸長物の形成によって保持を保障する。
【００２１】
シールの非存在は、細菌の浸潤を可能にし得、これは、再構築のもとで二次崩壊を引き起こし得、これは、治療の急速な失敗をもたらす。また、大部分の破壊および降伏は、ハイブリッド層レベルにおいて起こることが注意されている。なぜなら、樹脂との完全な一体化が達成されないからである。
【００２２】
より具体的には、浸潤されていないゾーンの発生は、種々の要因の結果であるようである。この要因としては、例えば、活発すぎて線維原を深く鉱物質除去しすぎ、その結果、樹脂が到達しない位置では、線維原が完全に乾固し、そして崩壊して、浸潤することが困難な緻密層を形成する、酸食の工程、ならびに酸食または乾燥またはカッター過熱後のコラーゲン線維原の不可逆な変性および従って改変が挙げられる。
【００２３】
これらの要因の全てが、完全には含浸されておらず、そして酵素および細菌の通過を可能にする種々の微細孔性を有する層の作製に寄与する。
【００２４】
従って、接着プロセス全体の弱点が、酸食後に開いた細管の正確な充填、および正確なシールのためのコラーゲン線維原マトリックスの完全な浸潤を、どのように保証するかが明らかである。
【発明の開示】
【発明が解決しようとする課題】
【００２５】
（発明の開示）
本発明の目的は、上記欠点を克服し、歯の硬質構造物上への接着物質の完全な接着を保証することである。
【課題を解決するための手段】
【００２６】
従って、本発明は、歯科修復材の適用のために、歯の硬質構造物を調製するための方法を提供し、この方法は、以下の工程を包含することを特徴とする：歯の硬質構造物の少なくとも１つの罹患したゾーンを処置する工程、障害に罹患した組織の層を除去する工程、少なくとも処置されたゾーンにおいて、接着物質の層を適用する工程、少なくとも接着物質を、電場の作用に供する工程、少なくとも接着物質によって覆われたゾーンにおいて、修復材を適用する工程。本発明はまた、歯科修復材の適用のために、歯の硬質構造物を調製するためのデバイスに関する。
【００２７】
本発明によれば、歯科修復材の適用のために歯の硬質構造物を調製するデバイスが提供され、このデバイスは、制御電力回路に接続された少なくとも１つのハンドピースを備えることを特徴とし、この制御電力回路は、歯の硬質構造物の少なくとも罹患したゾーンに適用された少なくとも１層の接着物質に、処置の前に電場を印加して、障害に罹患した組織の層を除去するためのものであり、これによって、少なくとも接着物質の層によって覆われたゾーンに、修復材を適用する。
【００２８】
本発明の技術的特徴は、その目的に従って、本明細書中の特許請求の範囲に明白に記載されており、そして利点は、添付の図面を参照して、以下の詳細な説明から明らかである。これらの図面は、本願の範囲を限定することなく、本発明の好ましい実施形態を図示する。
【００２９】
（発明の好ましい実施形態の詳細な説明）
図１、２および５を参照すると、数字１は、歯科修復材（例えば、モノマー、複合樹脂および歯の修復および再構築の分野において公知の型の、そして広範に使用される類似の生成物）の適用のために歯３の硬質構造物２を調製するためのデバイスを、全体として表す。
【００３０】
デバイス１は、ハンドピース４を備え、これは、長手方向軸６を有する実質的に管状の中央グリップ５を有し、その外側は、操作者に良好な把持を可能にする絶縁材料（例えば、シリコーンゴムおよび類似の材料）から作製される。グリップの内側の、実質的に同軸の位置で、グリップの２つの逆の端部に、第一および第二のソケット（雌型）（それぞれ８および９と標識される）で接続されたワイヤ７が存在する。これらのソケットは、公知の型のものであり、そして取り外し可能な様式で（すなわち、容易に取り付けおよび取り外しされ得るような様式で）コネクタ１０ならびに接続および適用ヘッド１１を受容するよう設計されている。コネクタ１０ならびに接続および適用ヘッド１１の使用および作動は、以下に記載される。
【００３１】
コネクタ１０は、第一のソケット８に挿入されるよう設計されたプラグ１２を有し、そして電気ケーブル１３によって、制御電力回路（全体として１４と標識される）に電気的に接続される。回路１４は、出力において増幅器ブロック１６および信号発生器１７に接続された制御ブロック１５を備え、この信号発生器は、次に、その出力において、増幅器１６に接続され、この増幅器は、制御ブロック１５に戻す。増幅器１６の入力は、バッテリ１８に接続され、このバッテリは、次に、コマンドブロック１９に接続され、一方で増幅器１６の出力は、コネクタ１０に直接接続される。このコマンドブロックは、電極２０に接続され、この電極は、患者の口に挿入され得る。この電極は通常、口内電極（ｉｎｔｒａ−ｏｒａｌ  ｅｌｅｃｔｒｏｄｅ）と称される。
【００３２】
回路１４は、２００ボルトの値に達し得る操作電圧および約４０Ａの値に達し得る電流で、ハンドピース４に電力供給するよう設計される。
【００３３】
明らかに、電源は、直流であっても交流であってもよい。交流である場合、操作周波数は、約１ＧＨｚに達し得る。
【００３４】
上述の接続および適用ヘッド１１は、一旦、ハンドピースの端部９に適用されると、回路１４に電気的に接続されるよう設計されており、従って、ブロック１７から送られる電力の電気ディストリビュータになるよう設計される。このブロック１７は、正弦波、方形波、三角ランプ、階段状、パルス列、および類似の型の直流または交流の信号を送り得る。
【００３５】
図１、２および３に図示される実施形態において、ヘッド１１は、金属挿入物２１を備え、この金属挿入物の一端２２は、プラグのように、第二のソケット９への挿入のために設計され、グリップ５におけるワイヤ７との電気的接触を保証し、一方で他端２３は、接着物質を移動させるための手段２９（これは、スポンジ、ブラシ、または類似の物品であり得る）を支持する。図１、２および３において、物質を移動させるための手段２９は、スポンジ２４、または物質を保持し得、次いで表面と接触するごとにこの物質を放出し得る類似の手段から構成される。一旦、回路１４が起動され、そしてヘッド１１が歯３の硬質構造物２の表面２６の所定のゾーン２５に向けて移動されると、デバイス１は、ゾーン２５を電場に供し得る。図１および５に図示されるように、デバイス１を使用して、修復材を受容するために患者の口２７の内側で歯３の硬質構造物２を調製するための方法は、少なくとも明らかに罹患した所定のゾーン２５（例えば、細菌による接触、ならびに崩壊および類似の障害のような炎症性プロセス）を処置する工程を包含する。この処置は、通常、機械による型のものであり、そして道具（例えば、歯３の硬質構造物２の、障害に罹患した組織の層を除去し得る歯科バー（ｂｕｒｒ）およびドリル）を使用して、実施される。一旦、この処置が実施されると、ぞうげ質細管を再度開くために、先の機械的処置工程の間に生じた細片の層が除去される。この時点で、操作者は、ヘッド１１の金属挿入物２１の端部２３を、所定のゾーン２５と注意深く接触させて、最初にスポンジ２４で、適切な接着物質を吸収する。スポンジ２４が歯３の硬質構造物２の表面２６の所定のゾーン２５に到達すると、操作者は、ブロック１９を使用して、回路１４を起動させる。この回路は、発生器１７を使用して、電気信号をハンドピース４に送り、この電気信号は、ワイヤ７を通して、挿入物２１に達する。この様式で、電場がゾーン２５に発生され、そして接着物質は、電極２０が患者の身体上（例えば、口２７の中）の点３０に位置決めされることを確実にされた後に、電位差に供される。これにより、接着物質の層によって覆われたゾーン２５において動電学的力が発生し、接着物質を均一に深く、歯３の硬質構造物２の最内部の層に向けて移動させ得る。この様式で、電荷の通過によって移動される接着物質は、ぞうげ質の微小な細管の内側に沿って深部に分配され、そして歯３のエナメル質の不規則な表面を覆う。この時点で、操作者は、接着物質が分配されたゾーン２５上に、修復材の層を分配し、先に言及した欠点なしに、修復材を保持するための構造物を形成する。
【００３６】
接着物質は、上記導入部で詳述された型のものであり得、特に、接着の機構に好ましい物理化学的特徴を有し得ることが、注目されるべきである。
【００３７】
ここでまた、しばしば、イオン化可能な貴金属の粒子（通常、コロイド金）の水に基づく溶液が、現在市場で入手可能な接着物質に添加されることが注目されるべきである。これらの粒子は、球状の形状を有し得、ここで、各球状粒子は、約３０ｎｍｍの直径を有する。これらの粒子は、電場によって強く影響を受け、そして電場に供される接着物質を引くかまたは引っ張ることを可能にする。
【００３８】
上に示されるように、電極２０は、患者の身体の任意の領域に適用され得る。好都合には、図５に図示されるように、電極２０は、口２７内に適用され得る。図５においては、より明瞭な説明のために、口２７は、実質的な対称面２８によって、２つの部分２７ａおよび２７ｂに分割されている。電極２０は、ハンドピース４とは反対側の位置で、地点３０に配置され得る。換言すれば、口の部分２７ａにおける歯３に作用するためには、電極２０は、図５に図示されるように、部分２７ｂにおける地点３０に配置されなければならない。その逆もまた真であり、口の部分２７ｂにおける歯３に作用するためには、電極２０は、部分２７ａにおける地点３０に配置されなければならない。
【００３９】
図４に図示される実施形態において、ヘッド１１は、ソケット９内の接続部分３１、所定の量の接着物質を保持し得るためのタンク３２、および接着物質の分配のための先端３３を有するような様式で、作製され得る。この先端は、接着物質を移動させるための手段２９を構成する。接着物質を適用するための方法は、図３に図示された実施形態に関して先に記載されたものと同一である。
【００４０】
図示される実施形態の両方について、ヘッド１１は、単回使用型のものであり、そして各適用サイクルごとに交換され得ることが、強調されなければならない。
【００４１】
記載された本発明は、本発明の概念の範囲から逸脱することなく、多数の改変およびバリエーションを受け得る。さらに、本発明の全ての細部は、技術的に等価な要素によって交換され得る。
【図面の簡単な説明】
【００４２】
【図１】図１は、歯科修復材の適用のために歯の硬質構造物を調製するためのデバイスの、概略側面図である。
【図２】図２は、電源および制御回路のブロック図であり、これに、図１に図示されるデバイスが接続される。
【図３】図３は、図１に図示されるデバイスの一部である、ハンドピースの第一の好ましい実施形態の分解概略側面図である。
【図４】図４は、図３からの細部の第二の好ましい実施形態の概略側面図である。
【図５】図５は、患者の口の内側を手術している、図１のデバイスの概略正面図である。
【国際公開パンフレット】
2004536684.tif 000003
2004536684.tif 000004
2004536684.tif 000005
2004536684.tif 000006
2004536684.tif 000007
2004536684.tif 000008
2004536684.tif 000009
2004536684.tif 000010
2004536684.tif 000011
2004536684.tif 000012
2004536684.tif 000013
2004536684.tif 000014
2004536684.tif 000015
2004536684.tif 000016
2004536684.tif 000017
2004536684.tif 000018
2004536684.tif 000019
2004536684.tif 000020
2004536684.tif 000021
2004536684.tif 000022
2004536684.tif 000023
2004536684.tif 000024
2004536684.tif 000025
2004536684.tif 000026
2004536684.tif 000027
2004536684.tif 000028
2004536684.tif 000029
2004536684.tif 000030
【国際公開パンフレット（コレクトバージョン）】
2004536684.tif 000031
【国際公開パンフレット（コレクトバージョン）】
2004536684.tif 000032
2004536684.tif 000033
2004536684.tif 000034
2004536684.tif 000035
2004536684.tif 000036
2004536684.tif 000037
2004536684.tif 000038
2004536684.tif 000039
2004536684.tif 000040
2004536684.tif 000041
2004536684.tif 000042
2004536684.tif 000043
2004536684.tif 000044
2004536684.tif 000045
2004536684.tif 000046
2004536684.tif 000047
2004536684.tif 000048
2004536684.tif 000049
2004536684.tif 000050
2004536684.tif 000051
2004536684.tif 000052
2004536684.tif 000053
2004536684.tif 000054
2004536684.tif 000055
2004536684.tif 000056
2004536684.tif 000057
2004536684.tif 000058
2004536684.tif 000059
2004536684.tif 000060
【手続補正書】
【提出日】平成15年8月19日(2003.8.19)
【手続補正１】
【補正対象書類名】特許請求の範囲
【補正対象項目名】全文
【補正方法】変更
【補正の内容】
【特許請求の範囲】
【請求項１】
歯科修復材の適用のために、歯の硬質構造物を調製するためのデバイスであって、該デバイスは、接着物質、制御電力回路（１４）に接続された、少なくとも１つのハンドピース（４）、該接着物質を移動させるための保持手段（２９）を備え、該制御電力回路は、疾患に罹患する組織の層を除去するために予め処置された歯の硬質構造物の、少なくとも罹患したゾーン（２５）に適用された少なくとも１層の該接着物質に、電場を印加するためのものであり、これによって、少なくとも該接着物質によって覆われたゾーンに該修復材が適用され得、該デバイスは、該保持手段（２９）が、該接着物質を保持し得、そして表面と接触するごとに該接着物質を放出し得る手段から構成されることを特徴とする、デバイス。
【請求項２】
電極（２０）をさらに備え、該電極は、前記制御電力回路に接続されており、そして患者の身体における任意の所定の地点に配置されるよう設計されており、そして前記ハンドピース（４）とともに作動して、処置され、そして前記接着物質の層で覆われた前記ゾーン（２５）と、該電極の適用の所定の地点との間に、電位差を印加し得、これによって、少なくとも該処置されたゾーンにおいて、通電に起因する動電学的力を発生させ得、該動電学的力は、該接着物質を、均一な深い様式で、ぞうげ微小管内で移動させ得、その結果、該接着物質が、前記歯のエナメル質の不規則な表面を覆う、請求項１に記載のデバイス。
【請求項３】
前記ハンドピース（４）が、前記接着物質の層のための適用ヘッド（１１）を備え、該適用ヘッドは、前記処置されたゾーン（２５）への該接着物質の適用の間に、該接着物質を電場の作用に供し得る、請求項１に記載のデバイス。
【請求項４】
前記適用ヘッドが、前記接着物質を収容および分配するための手段（２４、３２、３３）を備える、請求項３に記載のデバイス。
【請求項５】
前記収容および分配する手段が、金属挿入物（２１）を備え、該挿入物（２１）の一端が、少なくとも前記処置されたゾーンにおいて前記接着物質を移動させるための前記保持手段（２９）である、請求項４に記載のデバイス。
【請求項６】
前記接着物質を移動させるための手段が、スポンジ様要素（２４）を備え、該スポンジ様要素は、該接着物質を吸収するように、そして前記処置されたゾーンの上を通過して、接着物質の層を少なくとも該処置されたゾーンに適用するよう設計されている、請求項５に記載のデバイス。
【請求項７】
前記電極が、口内電極であり、そして前記口の、前記歯科修復材が適用されなければならない歯とは反対の側に配置されるよう設計されている、請求項２に記載のデバイス。
【請求項８】
前記適用ヘッドが単回使用型のものである、請求項１〜６のいずれか１項に記載のデバイス。
【請求項９】
前記接着物質が、イオン化可能物質の粒子の水に基づく溶液と混合され得る、請求項１〜８のいずれか１項に記載のデバイス。
【請求項１０】
前記粒子が、コロイド状態の貴金属である、請求項９に記載のデバイス。
【請求項１１】
前記貴金属がコロイド金である、請求項１０に記載のデバイス。
【手続補正３】
【補正対象書類名】明細書
【補正対象項目名】０００１
【補正方法】変更
【補正の内容】
【０００１】
（技術分野）
本発明は、歯科修復材の適用のために、歯の硬質構造物を調製するためのデバイスに関する。


【手続補正４】
【補正対象書類名】明細書
【補正対象項目名】００１７
【補正方法】変更
【補正の内容】
【００１７】
（背景技術）
欧州特許出願番号ＥＰ  １  ０２７  ８７６は、歯根管処置のためのペースト処方物、道具、およびシステムに関し、より具体的には、歯根管の充填のために使用されるペースト、ペースト注入器、およびそのために使用されるシステムに関することが、公知である。
仏国特許出願番号ＦＲ  ２  ６５６  ７９１から、歯の着色を消すための方法もまた、公知である。
文献米国特許第３，２０７，１６１号は、歯科的な予防において使用するための、フッ化物のイオン化処置を開示する。
ぞうげ質を正しく浸潤する種々の方法が提案されており、これらは主として、コラーゲン線維原（酸食によって露出される有機マトリックス）が崩壊することを防止すること、および接着剤が最も深いゾーンに通過することを可能にすることを目的とする。


【手続補正５】
【補正対象書類名】明細書
【補正対象項目名】００２６
【補正方法】変更
【補正の内容】
【００２６】
本発明は、歯科修復材の適用のために、歯の硬質構造物を調製するためのデバイスに関する。


【手続補正６】
【補正対象書類名】明細書
【補正対象項目名】００２７
【補正方法】変更
【補正の内容】
【００２７】
本発明によれば、歯科修復材の適用のために歯の硬質構造物を調製するデバイスが提供され、このデバイスは、請求項１に開示される全ての特徴を備える。
【国際調査報告】
2004536684.tif 000061
2004536684.tif 000062
2004536684.tif 000063